(57)【特許請求の範囲】
【請求項１】
筐体と、
被係合部を備え、前記筐体に対して着脱可能なカバー部と、
前記筐体に配置され、前記カバー部を前記筐体に対して着脱可能な状態で、連結させる連結部材と、を有し、
前記連結部材は、前記筐体と前記カバーとで構成される隙間に配置されて、かつ一部が外部に露出する露出部と、前記被係合部との係合状態において、前記露出部が前記隙間の外側から内側に向かって指で押されることにより、前記係合状態が解除される係合部と、を備え、
前記露出部が前記指に押されて前記隙間の外側から内側に移動することにより、前記カバー部が前記筐体から離れる方向に移動することなく、該カバー部と前記筐体との間において、前記露出部が移動する前に該露出部が存在した領域が、前記露出部が前記隙間の外側から内側に移動することによって新たな空間として形成され、かつ、前記新たな空間の形成後に、該新たな空間に浸入した前記指によって前記カバー部を前記筐体から離す方向に移動させることで、該カバー部を前記筐体から外すことを可能とすることを特徴とする携帯電子機器。
【請求項２】
筐体と、
被係合部を備え、前記筐体に対して着脱可能なカバー部と、
第２爪部を有し、該第２爪部と、前記筐体が有する筐体爪部と、が前記筐体の厚み方向において接触することで前記筐体に固定され、かつ、前記カバー部を前記筐体に対して着脱可能な状態で、連結させる連結部材と、を有し、
前記連結部材は、前記筐体と前記カバーとで構成される隙間に配置されて、かつ一部が外部に露出する露出部と、前記被係合部との係合状態において、前記露出部が前記厚み方向と垂直な方向であって、前記隙間の外側から内側に向かう方向に押されることにより、前記係合状態が解除される係合部と、を備え、
前記カバー部は、板状部と、該板状部から前記筐体側に突出し、先端が折れ曲がった、前記被係合部としてのカバー爪部と、を有し、
前記連結部材は、前記係合状態において前記カバー爪部の前記折れ曲がった先端部分と前記板状部との間に配置される部分を少なくとも有する第１爪部を有し、
前記第１爪部は、前記係合状態においては、前記筐体側の面と、前記カバー爪部の前記板状部側の面と、が前記厚み方向に接触することで、前記カバー部と前記連結部材とが離れることを規制することにより、前記カバー部と、前記連結部材を固定する前記筐体と、が離れる方向に移動することを規制することを特徴とする携帯電子機器。
【請求項３】
前記カバー部は、前記筐体に重ねられて取り付けられ、
前記露出部は、前記隙間の外側から内側に向かって押されるときに、前記筐体と前記カバー部とが重なる方向と略垂直な方向にスライドして移動することを特徴とする請求項１または２に記載の携帯電子機器。
【請求項４】
前記連結部材は、前記露出部が前記隙間の外側から内側に向かって押されるときに移動する方向に直交する方向が長手方向となる細長い形状であり、前記長手方向の両端が前記筐体に支持されていることを特徴とする請求項３に記載の携帯電子機器。
【請求項５】
前記連結部材は、前記筐体及び前記カバー部よりも弾性率の高い材料で構成されていることを特徴とする請求項１から４のいずれか１項に記載の携帯電子機器。
【請求項６】
前記連結部材は、前記筐体及び前記カバー部よりも剛性の低い材料で構成されていることを特徴とする請求項１から４のいずれか１項に記載の携帯電子機器。
【請求項７】
前記カバー部を前記筐体に装着した場合に、該カバー部と該筐体との間に防水空間を形成し、
前記連結部材は、前記防水空間よりも外側に配置されることを特徴とする請求項１から６のいずれか１項に記載の携帯電子機器。
【請求項８】
前記筐体に装着されたバッテリをさらに有し、
前記カバー部は、前記防水空間内に前記筐体に装着された前記バッテリを含むことを特徴とする請求項１から７のいずれか１項に記載の携帯電子機器。
【発明の詳細な説明】
【技術分野】
【０００１】
本発明は、筐体と筐体に対して着脱可能なカバー部とを備える携帯電子機器に関する。
【背景技術】
【０００２】
携帯電話機、ＰＨＳ、携帯音楽プレーヤー等の携帯電子機器は、バッテリを着脱可能な構成とする場合、特許文献１及び特許文献２に記載されているように、筐体の外側にバッテリを収納する凹部を設け、このバッテリを装着する凹部をカバー部で覆う構成とする。特許文献１及び特許文献２に記載のカバー部は、爪部を有し、当該爪部を筐体に設けた開口に差込、引っ掛けることで筐体に固定される構造である。
【先行技術文献】
【特許文献】
【０００３】
【特許文献１】特開２００７−２２７０４５号公報
【特許文献２】特開２００７−２９９５５２号公報
【発明の概要】
【発明が解決しようとする課題】
【０００４】
ここで、近年では、防水機能を備える携帯電子機器も提案されている。防水機能を備える携帯電子機器では、バッテリの配置空間への水の浸入を抑制するためにカバー部と筐体との間にパッキン等の封止部材を配置し、バッテリの配置空間を密閉し防水構造とする。また、バッテリの配置空間の密閉状態をより確実に維持するために、カバー部を筐体に対して強固に固定する機構とする。このカバー部を筐体に固定する機構としては、可動式のレバーによりロック状態と開放状態とを切り替える機構がある。
【０００５】
ここで、可動式のレバーを用いる構成では、防水構造が大型化し装置構成が大きくなる。また可動式のレバーを用いる構成では、レバーを開放状態にしてカバー部を取り外す、また、カバー部を取り付けてからレバーをロック状態にすることになり、着脱操作に手間がかかる。また、特許文献１及び特許文献２の構成は、カバー部の着脱は簡単であるが、カバー部が突起を筐体に形成された穴に挿入して固定される構成であるため形成した穴を防水する機構が必要となり装置構成が複雑となる。また、筐体にカバー部の爪部を差し込んだ構成では、カバー部が筐体から外れやすい。
【０００６】
本発明は、上記の事情に鑑みてなされたものであって、カバー部の着脱が簡単であり、カバー部が筐体から外れにくく、外観をより簡素にすることが可能な携帯電子機器を提供することを目的とする。
【課題を解決するための手段】
【０００７】
上述した課題を解決し、目的を達成するために、本発明に係る携帯電子機器は、筐体と、前記筐体に対して着脱可能であり、前記筐体に装着した場合に前記筐体との間に防水空間を形成するカバー部と、前記筐体の前記防水空間よりも外側に配置され、前記カバー部を前記筐体に対して着脱可能な状態で、連結させる連結部材と、を有し、前記カバー部は、前記筐体との境界部に外部から前記連結部材の特定部に接触可能な隙間を形成した状態で前記連結部材に連結され、前記連結部材は、前記特定部が外部から押されることで変形する位置に前記カバー部との係合部を備え、前記係合部は、前記特定部に外部から押されていない状態で前記カバー部と係合し、前記特定部が外部から押されると前記カバー部と非接触となることを特徴とする。
【０００８】
ここで、前記カバー部は、前記筐体側に突出するカバー爪部を有し、前記係合部は、前記カバー爪部よりも前記カバー部側に突出する第１爪部を有し、前記第１爪部は、前記筐体側の面が前記カバー爪部の前記カバー部側の面と接触することで、前記防水空間の前記筐体と前記カバー部との境界面に直交する向きにおいて、前記カバー部と前記筐体と離れる方向に移動することを規制することが好ましい。
【０００９】
また、前記筐体は、前記カバー部側に突出した筐体爪部を有し、前記係合部は、前記筐体爪部よりも前記筐体側に突出する第２爪部を有し、前記第２爪部は、前記カバー部側の面が前記筐体爪部の前記筐体側の面と接触することで、前記防水空間の前記筐体と前記カバー部との境界面に直交する向きにおいて、前記連結部材と前記筐体と離れる方向に移動することを規制することが好ましい。
【００１０】
また、前記第２爪部は、前記第１爪部の移動方向に直交する向きに突出しており、前記筐体爪部との接触面と反対側の面が、前記カバー爪部と対面していることが好ましい。
【００１１】
また、前記連結部材は、前記特定部の移動方向に直交する方向が長手方向となる細長い形状であり、前記長手方向の両端が前記筐体に支持されていることが好ましい。
【００１２】
また、前記連結部材は、着脱可能な状態で前記筐体に係合していることが好ましい。
【００１３】
また、前記連結部材は、前記筐体及び前記カバー部よりも弾性率の高い材料で構成されていることが好ましい。
【００１４】
また、前記連結部材は、前記筐体及び前記カバー部よりも剛性の低い材料で構成されていることが好ましい。
【００１５】
また、前記筐体に装着されたバッテリをさらに有し、前記カバー部は、前記防水空間内に前記筐体に装着された前記バッテリを含むことが好ましい。
【発明の効果】
【００１６】
本発明に係る携帯電子機器は、カバー部の着脱が簡単であり、カバー部が筐体から外れにくく、外観をより簡素にすることが可能である、という効果を奏する。
【図面の簡単な説明】
【００１７】
【図１】図１は、携帯電子機器の概略構成を示す正面図である。
【図２】図２は、図１に示す携帯電子機器の概略構成を示す側面図である。
【図３】図３は、図１に示す第２筐体を背面側からみた斜視図である。
【図４】図４は、図３に示す第２筐体からカバー部を取り外した状態を示す斜視図である。
【図５】図５は、図４に示す連結部材と第２筐体との概略構成を示す斜視図である。
【図６】図６は、第２筐体の取付部の概略構成を示す斜視図である。
【図７】図７は、図５に示す連結部材の概略構成を示す斜視図である。
【図８】図８は、連結部材を図７とは異なる方向から見た斜視図である。
【図９】図９は、連結部材と第２筐体との関係を示す断面斜視図である。
【図１０】図１０は、連結部材と第２筐体との関係を示す断面斜視図である。
【図１１】図１１は、連結部材と第２筐体との関係を示す正面図である。
【図１２】図１２は、カバー部の概略構成を示す斜視図である。
【図１３】図１３は、カバー部の概略構成を示す斜視図である。
【図１４】図１４は、第２筐体と連結部材とカバー部との関係を示す断面斜視図である。
【図１５】図１５は、第２筐体と連結部材とカバー部との関係を示す断面斜視図である。
【図１６】図１６は、第２筐体と連結部材とカバー部との関係を示す斜視図である。
【図１７】図１７は、カバー部の取り外し動作を説明するための説明図である。
【図１８】図１８は、カバー部の取り外し動作を説明するための説明図である。
【図１９】図１９は、カバー部の取り外し動作を説明するための説明図である。
【図２０】図２０は、連結部材の他の実施形態の概略構成を示す断面図である。
【発明を実施するための形態】
【００１８】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯電子機器の一例として携帯電話機を取り上げるが、携帯電子機器は携帯電話機に限定されるものではなく、例えば、ＰＨＳ（Personal  Handy-phone  System）、ＰＤＡ、ポータブルナビゲーション装置、ノートパソコン、ゲーム機等であってもよい。
【００１９】
［実施形態］
図１は、携帯電子機器の概略構成を示す正面図であり、図２は、図１に示す携帯電子機器の概略構成を示す側面図である。
【００２０】
本実施形態の携帯電子機器１は、防水機能を有する携帯電話機である。携帯電子機器１は、図１及び図２に示すように、筐体２が第１筐体２１と第２筐体２２とで開閉可能に構成された、折り畳み式の携帯電話機である。筐体２は、第１筐体２１の一方側の端部（基端部）と第２筐体２２の一方側の端部（基端部）とがヒンジ部４を介し連結される。筐体２は、図２中に矢印Ｒで示すように、ヒンジ部４の回転軸ＣＬを中心に、第２筐体２２に対し第１筐体２１を開閉することで、閉じ合わせ可能（折り畳み可能）に構成される。
【００２１】
なお、筐体２は、第１筐体２１と第２筐体２２とを閉じ合わせたときに互いに対向する面が、第１筐体２１および第２筐体２２の正面であり、正面の反対側の面が、第１筐体２１および第２筐体２２の背面である。筐体２は、ヒンジ部４の回転軸ＣＬの軸方向が第１筐体２１、第２筐体２２の幅方向（短手方向）と同方向となっている。そして、幅方向に直交し、第１筐体２１、第２筐体２２の基端部から先端部に至る方向が長さ方向（長手方向）であり、第１筐体２１、第２筐体２２の正面から背面に至る方向が厚み方向である。また、第１筐体２１は、正面側に配置されたフロントケース２１Ａと背面側に配置されたリアケース２１Ｂとを有する。第１筐体２１は、フロントケース２１Ａとリアケース２１Ｂとが互いに対向して係合し、その隙間が水密構造となっている。これにより、第１筐体２１は、フロントケース２１Ａとリアケース２１Ｂとの間に形成される空間に外部から水が入ることを抑制でき、当該空間を防水空間とすることができる。第２筐体２２は、正面側に配置されたフロントケース２２Ａと背面側に配置されたリアケース２２Ｂとを有する。第２筐体２２は、フロントケース２２Ａとリアケース２２Ｂとが互いに対向して係合し、その隙間が水密構造となっている。これにより、第２筐体２２は、フロントケース２２Ａとリアケース２２Ｂとの間に形成される空間に外部から水が入ることを抑制でき、当該空間を防水空間とすることができる。なお、フロントケース２２Ａとリアケース２２Ｂとの隙間を水密構造にする構造としては、隙間を接着剤で封止したり、両ケースの間にパッキン等のシール部材を配置したり、両面テープで両ケースを接着したりする構造がある。
【００２２】
携帯電子機器１は、画像を表示する表示装置５、操作を受け付ける操作部６等を備え、これらが第１筐体２１または第２筐体２２にそれぞれ搭載される。ここでは、携帯電子機器１は、表示装置５が第１筐体２１の正面側（フロントケース２１Ａ）に搭載され、操作部６が第２筐体２２の正面側（フロントケース２２Ａ）に搭載される。また、携帯電子機器１の筐体２には、これら以外にも携帯電話機として必要な各種機構（マイク、レシーバ、スピーカ、制御基板、アンテナ）が設けられている。なお、携帯電子機器１を構成する各部は、基本的には第１筐体２１または第２筐体２２の内部に内蔵され、そのうちの幾つかは、少なくとも一部が筐体２の外部に露出する露出部品である。
【００２３】
表示装置５は、待ち受け画像、メニュー画像等の種々の画像を表示するものであり、例えば、液晶ディスプレイ（ＬＣＤ、Liquid  Crystal  Display）や、有機ＥＬ（Organic  Electro−Luminescence）パネル等を有する表示パネルである。なお、この表示装置５の構成については、後でより詳細に説明する。
【００２４】
操作部６は、第２筐体２２に内蔵され、フロントケース２２Ａから各種操作キーが露出する露出部品である。操作キーは、例えば、通話相手の電話番号やメール作成時等に文字を入力するための操作キー、表示装置５に表示されるメニューの選択及び決定や画面のスクロール等を容易に実行するための方向及び決定キー等を含む。
【００２５】
次に、第２筐体２２の背面側の構成について説明する。ここで、図３は、図１に示す第２筐体を背面側からみた斜視図であり、図４は、図３に示す第２筐体からカバー部を取り外した状態を示す斜視図である。図３に示すように、第２筐体２２のリアケース２２Ｂの背面、つまりフロントケース２２Ａと対面している面とは反対側の面には、カバー部３０が着脱可能な状態で装着される。また、図４に示すように、リアケース２２Ｂのカバー部３０で覆われている部分には、バッテリ装着部３１と凹部４０と、が形成されている。
【００２６】
バッテリ装着部３１は、リアケース２２Ｂに形成され、バッテリ３２が装着される凹部（フロントケース２２Ａ側に凸の部分）である。バッテリ装着部３１には、バッテリ３２と電気的に接続する端子や、バッテリ３２を保持する保持機構が設けられている。なお、バッテリ装着部３１は、外周部分が、カバー部３０とリアケース２２Ｂとで水密状態とされる。本実施形態では凹部の壁面とカバー部３０との接触部分が防水構造となる。なお防水構造としては、パッキンや、Ｏリング等のシール部材が用いられる。これにより、バッテリ装着部３１及びバッテリ３２は、カバー部３０をリアケース２２Ｂに装着した場合、第２筐体２２の内部に密閉された状態、つまり外部から水が入らない状態となる。
【００２７】
凹部４０は、バッテリ装着部３１の密閉領域の外側で、かつ、カバー部３０で覆われる部分に形成されている。具体的には、リアケース２２Ｂのヒンジ部４から遠い側の端部に形成されている。凹部４０には、連結部材３４が配置されている。連結部材３４は、凹部４０に配置されており、第２筐体２２に装着されたカバー部３０が第２筐体２２（リアケース２２Ｂ）から容易に外れないように保持している。
【００２８】
また、リアケース２２Ｂは、カバー部３０の外周面と対向する部分（カバー部３０に覆われている領域の外縁）の一部に、切り欠き部４９が形成されている。具体的には、切り欠き部４９は、リアケース２２Ｂのヒンジ部４から遠い側の端部で、かつ、リアケース２２Ｂの厚み方向の中央に形成されている。切り欠き部４９は、厚み方向の高さが外周の他の部分よりも低い（フロントケース２２Ａ側となる）形状である。切り欠き部４９は、凹部４０と繋がっている。
【００２９】
次に、図５から図１６を用いて、カバー部３０をリアケース２２Ｂ（第２筐体２２）に装着する機構について説明する。なお、以下では、凹部４０、連結部材３４、カバー部３０の順で説明する。ここで、図５は、図４に示す連結部材と第２筐体との概略構成を示す斜視図である。図６は、第２筐体の取付部の概略構成を示す斜視図である。
【００３０】
凹部４０は、幅方向に延在する細長い窪み（つまり幅方向が長手方向となる細長い窪み）であり、上述したように切り欠き部４９と繋がっている。また、図５に示すように、凹部４０は、連結部材３４の形状に合わせた凹凸が形成されている。具体的には、凹部４０には、ボス４２と、ボス４４と、筐体爪部４６と、筐体爪部４８と、を有する。ここで、凹部４０は、筐体爪部４６と、筐体爪部４８とが設けられている面が、ボス４２と、ボス４４とが設けられている面よりもくぼみが深くなっている。
【００３１】
ボス４２は、凹部４０の幅方向の一方の端部近傍の、凹部４０の壁面と一定間隔離れた位置に設けられている。ボス４４は、凹部４０の幅方向の他方の端部近傍の、凹部４０の壁面と一定間隔離れた位置に設けられている。ボス４２、４４は、厚み方向に延びた円柱形状（厚み方向が円柱の高さ方向となる形状）である。
【００３２】
筐体爪部４６は、幅方向において切り欠き部４９のボス４２側の端部近傍に配置されている。筐体爪部４６は、厚さ方向に突出し、かつ、先端が幅方向の切り欠き部４９から離れる方向（ボス４２に近づく方向）に延びた形状である。つまり筐体爪部４６は、筐体２の長さ方向に直交する断面の形状がＬ字形状である。また、筐体爪部４６は、筐体２の長さ方向に延在した形状（一定の厚みがあるＬ字形状）である。
【００３３】
筐体爪部４８は、幅方向において切り欠き部４９のボス４４側の端部近傍に配置されている。筐体爪部４８は、厚さ方向に突出し、かつ、先端が幅方向の切り欠き部４９に近づく方向（ボス４４から遠ざかる方向）に延びた形状である。つまり筐体爪部４８は、筐体２の長さ方向に直交する断面の形状がＬ字形状である。また、筐体爪部４８は、筐体２の長さ方向に延在した形状（一定の厚みがあるＬ字形状）である。
【００３４】
次に、図７は、図５に示す連結部材の概略構成を示す斜視図であり、図８は、連結部材を図７とは異なる方向から見た斜視図である。図７及び図８に示すように、連結部材３４は、細長い板状部材であり、凹部４０にはめ込まれる。連結部材３４は、支点支持部５２と、支点支持部５４と、外側爪部（第２爪部）５６、５８と、開口６０と、中央爪部（第１爪部）６２と、を有する。なお、本実施形態では、連結部材３４の長手方向における中央部分を特定部６３とする。また、連結部材３４は、所定の剛性と弾性を有し、外力が作用すると弾性変形する材料で構成されている。
【００３５】
支点支持部５２と支点支持部５４とは、細長い連結部材３４の両端に形成された開口部である。支点支持部５２と支点支持部５４とは、それぞれボス４２とボス４４に対応する位置に形成されており、特定部６３と連結している。また、支点支持部５２、５４の開口部は、ボス４２、４４と接触する部分から特定部６３との連結部まで延在している。
【００３６】
外側爪部（第２爪部）５６は、連結部材３４を凹部４０にはめ込んだ場合に、筐体爪部４６と係合する爪である。外側爪部５６は、幅方向において特定部６３の支点支持部５２側の端部近傍に配置されている。外側爪部５６は、厚さ方向に突出し、かつ、先端が幅方向の支点支持部５２から離れる方向に延びた形状である。つまり外側爪部５６は、連結部材３４の短手方向（筐体２の長さ方向）に直交する断面の形状がＬ字形状である。また、外側爪部５６は、連結部材３４の短手方向に延在した形状（一定の厚みがあるＬ字形状）である。
【００３７】
外側爪部（第２爪部）５８は、連結部材３４を凹部４０にはめ込んだ場合に、筐体爪部４８と係合する爪である。外側爪部５８は、幅方向において特定部６３の支点支持部５４側の端部近傍に配置されている。外側爪部５８は、厚さ方向に突出し、かつ、先端が幅方向の支点支持部５４に近づく方向に延びた形状である。つまり外側爪部５８は、連結部材３４の短手方向に直交する断面の形状がＬ字形状である。また、外側爪部５８は、連結部材３４の短手方向に延在した形状（一定の厚みがあるＬ字形状）である。
【００３８】
開口６０は、特定部６３の外側爪部５６と外側爪部５８との間に形成された開口である。開口６０は、連結部材３４の長手方向が長手方向となる細長い開口である。
【００３９】
中央爪部６２は、開口６０の長手方向の２つの辺のうち、連結部材３４を凹部４０にはめ込んだ場合に、バッテリ３２に近い側（切り欠き部４９から遠い側）の辺に形成されている。中央爪部６２は、厚さ方向に突出し、かつ、開口６０と連結している部分が長さ方向の開口６０の他方の面（爪部が設けられている面とは反対側の面）に向かって延びた形状である。つまり外側爪部５８は、連結部材３４の短手方向に直交する断面の形状が、開口６０の連結部で折れ曲がるＬ字形状である。また、外側爪部５８は、連結部材３４の短手方向に延在した形状（一定の厚みがあるＬ字形状）である。中央爪部６２は、厚さ方向において、連結部材３４を凹部４０にはめ込んだ場合に、開口６０の近傍に凹部４０と向かい合う面を有する段差がある爪となる。
【００４０】
次に、図９から図１１を用いて、連結部材３４を凹部４０にはめ込んだ状態について説明する。ここで、図９は、連結部材と第２筐体との関係を示す断面斜視図であり、図１０は、連結部材と第２筐体との関係を示す断面斜視図であり、図１１は、連結部材と第２筐体との関係を示す正面図である。なお、図９は、連結部材３４と凹部４０とを分離して示しており、図１０は、連結部材３４を凹部４０にはめ込んだ状態である。
【００４１】
連結部材３４は、図９に示すように、ボス４２からボス４４側にずらしながら凹部４０にはめ込まれることで、図１０に示すように、外側爪部５６が筐体爪部４６と係合し、外側爪部５８が筐体爪部４８と係合する。なお、外側爪部５６は、カバー部３０と対面する面（突起部の凹部４０の底面から最も遠い面、カバー部３０側の面）が、筐体爪部４６の凹部４０の底面と対面している面（爪の突出部分の凹部４０の底面に最も近い面、リアケース２２Ｂ側の面）と対面し、本実施形態では接触している。外側爪部５８も、カバー部３０と対面する面（爪の突出部分の凹部４０の底面から最も遠い面、カバー部３０側の面）が、筐体爪部４８の凹部４０の底面と対面している面（爪の突出部分の凹部４０の底面に最も近い面、リアケース２２Ｂ側の面）と対面し、本実施形態では接触している。
【００４２】
また、連結部材３４は、支点支持部５２が凹部４０のボス４２にはめ込まれ、支点支持部５４が凹部４０のボス４４にはめ込まれる。これにより、連結部材３４の両端部も凹部４０に保持される。これにより、図１０及び図１１に示すように、連結部材３４は、凹部４０にはめ込まれる。また、連結部材３４は、凹部４０にはめ込まれることで、特定部３６の端面が切り欠き部４９と対面する状態となる。
【００４３】
連結部材３４は、外側爪部５６が筐体爪部４６と係合し、外側爪部５８が筐体爪部４８と係合していることで、厚み方向において連結部材３４が凹部４０から離れようとする力が作用しても、厚み方向に移動することが抑制される。これにより、連結部材３４は、凹部４０から外れないように保持される。また、連結部材３４は、支点支持部５２が凹部４０のボス４２にはめ込まれ、支点支持部５４が凹部４０のボス４４にはめ込まれる。これにより、連結部材３４は、この２点でも凹部４０から外れない方向の力が作用し、凹部４０から外れないように保持される。
【００４４】
また、連結部材３４の外側爪部５６、５８と、凹部４０の筐体爪部４６、４８とは、突起が筐体の長さ方向に延在している。これにより、連結部材３４は、筐体２の長さ方向へは移動自在な状態となる。連結部材３４の特定部６３が切り欠き部４９から押されると特定部６３は、支点支持部５２、５４を支点として、長さ方向に変形する。この点については、後ほど説明する。
【００４５】
次に、図１２及び図１３を用いてカバー部３０について説明する。図１２は、カバー部の概略構成を示す斜視図であり、図１３は、カバー部の概略構成を示す斜視図である。図１２及び図１３に示すように、カバー部３０は、リアケース２２Ｂの背面側のバッテリ装着部３１と凹部４０を覆う蓋であり、突起部７２、７４と、カバー爪部７６とを有する。
【００４６】
突起部７２、７４は、カバー部３０をリアケース２２Ｂに装着した場合の長手方向においてヒンジ部４側（凹部４０とは反対側）の端部に設けられた突起である。なお、リアケース２２Ｂには、この突起部７２、７４が挿入される挿入部７８、７９が形成されている。なお、挿入部７８、７９は、第２筐体２２の密閉された防水空間とは、繋がっていない凹部である。
【００４７】
カバー爪部７６は、カバー部３０をリアケース２２Ｂに装着した場合の長さ方向において凹部４０側（ヒンジ部４とは反対側）の端部に設けられた爪である。カバー爪部７６は、カバー部３０をリアケース２２Ｂに装着した場合の厚さ方向に突出し、かつ、先端が長さ方向のヒンジ部４側（突起部７２、７４側）に向かって延びた形状である。カバー爪部７６は、幅方向に直交する断面の形状が、Ｌ字形状である。また、カバー爪部７６は、幅方向に延在した形状（一定の厚みがあるＬ字形状）である。また、カバー爪部７６は、幅方向の長さが連結部材３４の開口６０と略同一または開口６０よりもやや小さい。
【００４８】
次に、図１２から図１６を用いて、カバー部３０を、連結部材３４及び凹部４０（連結部材３４がはめ込まれた凹部４０）にはめ込んだ状態について説明する。図１４は、第２筐体と連結部材とカバー部との関係を示す断面斜視図であり、図１５は、第２筐体と連結部材とカバー部との関係を示す断面斜視図であり、図１６は、第２筐体と連結部材とカバー部との関係を示す斜視図である。
【００４９】
カバー部３０は、突起部７２を挿入部７８に挿入し突起部７４を挿入部７９に挿入してヒンジ部４側の端部をリアケース２２Ｂに対して固定する。カバー部３０は、カバー爪部７６を、連結部材３４がはめ込まれた凹部４０にはめ込む（差し込む）ことで、ヒンジ部４とは反対側の端部もリアケース２２Ｂに対して固定する。
【００５０】
具体的には、カバー爪部７６は、開口６０に差し込まれることで、連結部材３４の中央爪部６２と係合する。なお、カバー爪部７６は、カバー部３０と対面する面（爪の突出部分の凹部４０の底面から最も遠い面、カバー部３０側の面）が、中央爪部６２の凹部４０の底面と対面している面（突起部の凹部４０の底面に最も近い面、リアケース２２Ｂ側の面）と対面し、本実施形態では接触している。
【００５１】
カバー部３０は、カバー爪部７６が中央爪部６２と係合することで、リアケース２２Ｂに保持されている連結部材３４に保持される機構となり、厚み方向においてカバー部３０がリアケース２２Ｂから離れようとする力が作用しても、厚み方向に移動することが抑制される。つまり、連結部剤３４の爪部と、カバー部３０またはリアケース２２Ｂの凹部４０の爪部との突出面が係合していることで、厚み方向において各部が相対的に離れる向きに移動した場合、爪部の対面している同士が引っかかるため、各部材が相対的に厚み方向に移動することを抑制できる。これにより、カバー部３０は、リアケース２２Ｂから外れないように保持される。
【００５２】
また、カバー爪部７６は、外側爪部５８の、突出部分が形成されている面とは反対側の面と対面して配置されている。カバー爪部７６と外側爪部５８とは、幅方向において、外側爪部５８の突出量よりも近い位置に配置されている。これにより、外側爪部５８が、筐体爪部４８から離れる方向に変形した場合、幅方向における外側爪部５８と筐体爪部４８との突出部の重なりが０となる前に、外側爪部５８がカバー爪部７６と接触する。これにより、外側爪部５８は、筐体爪部４８との突出部の重なりが０となる位置まで変形することができない。これにより、カバー部３０をリアケース２２Ｂに装着することで、外側爪部５８が筐体爪部４８から外れにくくすることができる。これにより、連結部材３４が凹部４０から外れることを抑制できる。このように、本実施形態のように、カバー部３０のカバー爪部７６により、連結部材３４と凹部４０との連結部分を補強すること（外れにくく規制すること）で、カバー部３０をリアケース２２Ｂにより強固に保持することができ、防水空間（カバー部３０とリアケース２２Ｂとで形成されるバッテリ装着部３１を含む防水空間）をより適正に維持することができる。
【００５３】
また、図１６に示すようにカバー部３０をリアケース２２Ｂに装着した状態では、切り欠き部４９、つまり、リアケース２２Ｂとカバー部３０との間から特定部６３が見える状態となる。
【００５４】
次に、図１７から図１９を用いて、カバー部３０をリアケース２２Ｂから取り外す動作について説明する。図１７は、カバー部の取り外し動作を説明するための説明図であり、図１８は、カバー部の取り外し動作を説明するための説明図であり、図１９は、カバー部の取り外し動作を説明するための説明図である。
【００５５】
携帯電子機器１は、図１７に示すようにカバー部３０がリアケース２２Ｂに装着された状態で、切り欠き部４９から指等で連結部材３４の特定部６３が押されると、特定部６３が押された力で連結部材３４が変形して、図１８に示す連結部材３４ａのような形状となる。なお、連結部材３４ａは、特定部６３が押された力で、特定部６３がヒンジ部４側（図１７、図１８中矢印方向）にスライド移動する。連結部材３４ａの状態となると、特定部６３に設けられた中央爪部６２も矢印方向に移動する。なお、連結部材３４は、図１９に示すように、特定部６３が矢印方向に押されることで、連結部材３４ａの状態に変形する。なお、この時、連結部材３４は、支点支持部５２、５４を支点として変形する。これにより、厚さ方向に直交する面において、中央爪部６２とカバー爪部７６とが重ならない状態となる。
【００５６】
さらに、携帯電子機器１は、爪部が引っかかっていない状態で、指等でカバー部３０の端部をリアケース２２Ｂから離す方向に移動されることで、カバー部３０がリアケース２２Ｂから外される。
【００５７】
このように、ユーザは、切り欠き部４９に指を入れ、その後、カバー部３０をリアケース２２Ｂから離す方向に移動させるだけで、カバー部３０をリアケース２２Ｂから取り外すことができる。このように、カバー部３０を取り外すために指をかける動作が、カバー部３０とリアケース２２Ｂとを連結している機構を取り外す動作とすることができる。これにより、ユーザは簡単な動作でカバー部３０を取り外すことができる。
【００５８】
また、特定部６３は、切り欠き部４９から図１９中矢印に示す方向の外力が加えられている状態では連結部材３４ａに示す形状に変形するが、弾性変形であるため外力が作用しない状態となると図１９に示す連結部材３４の状態に戻る。つまり、支点支持部５２、５４を支点として変形するため、外力が作用しなくなると復元力が作用し、実質的に外力が付加されていないときの形状に戻る。これにより、外力が付加していない状態では、厚さ方向に直交する面において、中央爪部６２とカバー爪部７６とが重なる状態となり、カバー部３０がリアケース２２Ｂから外れない状態となる。
【００５９】
このように、携帯電子機器１は、連結部材３４を含む機構を設けることで、カバー部３０がリアケース２２Ｂから外れないようにすることができる。具体的には、携帯電子機器１を誤って床等に落下させてもカバー部３０がリアケース２２Ｂから外れないようにすることができる。また、爪部により厚み方向の移動を規制できるため、カバー部３０とリアケース２２Ｂとの距離を一定距離以下とすることができる。これにより、各部のズレ量が把握でき本実施形態のように防水機能を備える場合の防水機構による密閉性をより高くすることができる。つまり、ズレを抑制できることで、パッキン等の防水機構としてより適切なものを用いることができ、防水性を高くすることができる。
【００６０】
また、携帯電子機器１は、カバー部３０とリアケース２２Ｂとを連結している機構（カバー部３０をリアケース２２Ｂに保持している機構）が外部からほとんど見えない形状となる。これにより、携帯電子機器１のデザイン性をより高くすることができる。また、カバー部３０とリアケース２２Ｂとを連結している機構が見えない状態であっても、防水構造を実現しつつ、カバー部３０を外すために切り欠き部４９に指等を入れ、カバー部３０をリアケース２２Ｂから離すとカバー部３０をリアケース２２Ｂから外すことができる。また、カバー部３０がリアケース２２Ｂに嵌っている状態は、常にロックされた状態となるので、見える位置にロックレバー等を配置する必要がなく、かつ、ロック位置を示す表示（ロック状態であるかを示すための表示）も不要となる。
【００６１】
また、連結部材３４も着脱可能とすることで、連結部材３４を容易に交換することができる。また、組立時に容易に組み立てることができる。また、連結部材３４を弾性変形する部材とすることで、着脱時に変形させた場合や、外部から衝撃が加わった場合に爪部分等が破損する恐れを低減することができる。つまり、装置の耐久性を高くすることができる。
【００６２】
ここで、連結部材３４は、リアケース２２Ｂ（第２筐体２２）及びカバー部３０よりも剛性が低い材料で構成することが好ましい。また、連結部材３４は、リアケース２２Ｂ（第２筐体２２）及びカバー部３０よりも弾性率が高い材料で構成することが好ましい。連結部材３４とリアケース２２Ｂ（第２筐体２２）とカバー部３０とを構成する材料が上記のいずれかを満足することで、各部の耐久性を高くしつつ、リアケース２２Ｂ（第２筐体２２）からカバー部３０を外れにくくすることができる。例えば、連結部材３４が他の部材よりも変形しやすくなるため、着脱時に変形しても損傷が発生しにくくなる。また、接触している爪部が破損することも抑制できる。
【００６３】
また、連結部材３４としては、各種樹脂材料、ゴム材料を用いることができるが、例えば、ポリアセタールを用いることができる。
【００６４】
また、リアケース２２Ｂ（第２筐体２２）及びカバー部３０は、剛性が高い、具体的には、ヤング率が４０００以上の材料を用いることが好ましい。リアケース２２Ｂ（第２筐体２２）及びカバー部３０をヤング率が高い材料で製造（構成）することで、リアケース２２Ｂ（第２筐体２２）とカバー部３０との間の防水機構でより適切に防水することができる。つまり、パッキン等の防水機構で隙間が生じないように、リアケース２２Ｂ（第２筐体２２）とカバー部３０とに力が作用しても、壁面が変形することを抑制でき防水することができる。なお、材料としては、ガラスを一定割合（例えば１０％）含有させたポリカーボネートや、ガラスを一定割合（例えば４５％）以上含有させたナイロン等を用いることができる。なお、リアケース２２Ｂ（第２筐体２２）及びカバー部３０に剛性が高い材料を用いた場合も、連結部材３４が変形する材料でありリアケース２２Ｂ（第２筐体２２）とカバー部３０の爪同士は接触しない。このため、剛性を高くしても両者を連結している機構が破損することを抑制することができる。
【００６５】
なお、上記実施形態では、外側爪部の一方のみがカバー爪部と対面している構成としたが、これには限定されない。図２０は、連結部材の他の実施形態の概略構成を示す断面図である。図２０に示す連結部材８０は、外側爪部８２以外は、連結部材３４と同様の構成である。そこで、以下では、連結部材３４とは異なる点のみ説明する。外側爪部８２は、連結部材３４の外側爪部５６と同様の位置に設けられている。外側爪部（第２爪部）８２は、厚さ方向に突出し、かつ、先端が幅方向の支点支持部５４から離れる方向に延びた形状である。また、外側爪部８２は、突出部が設けられている面と反対側の面がカバー爪部７６と対面する。つまり、外側爪部８２は、外側爪部５８を幅方向の中心を対称軸として、反転させた形状である。なお、外側爪部８２に対応して設けられる筐体爪部も、爪の突出方向が上記実施形態の筐体爪部４６とは逆方向となる。
【００６６】
このように、外側爪部の両方がカバー爪部７６と対面する構造とすることで、カバー部３０の装着時に、外側爪部とカバー爪部７６とをより外れにくくすることができ、連結部材８０とリアケース２２Ｂとをより外れにくくすることができる。これにより、切り欠き部から特定部に外力が作用した場合以外は、リアケース２２Ｂからカバー部３０をよりはずれにくくすることができる。なお、図２０に示す連結部材を用いる場合は、上述したように連結部材を凹部に対して一方向にスライドさせて爪部を係合させる方法では装着しにくいが、連結部材が弾性を有するため、装着することはできる。
【００６７】
また、連結部材からリアケース２２Ｂ（凹部）を外れにくくすることができるため、本実施形態のように、外側爪部の突起部が設けられていない面がカバー爪部に近接して対面することが好ましいが、外側爪部は必ずしもカバー爪部と対面していなくてもよい。
【００６８】
また、上述したように、外側爪部と筐体爪部とを設けることで、連結部材からリアケース２２Ｂ（凹部）を外れにくくすることができるが、連結部材をリアケースに固定する（保持する）方法はこれに限定されない。また、上記実施形態では、組み立てやすくすることができ、装置構成を簡単にできるため、連結部材を凹部に対して着脱可能な構成としたが、連結部材を凹部に固定する構造としてもよい。なお、連結部材を爪部以外の構造で凹部に保持する場合や連結部材を凹部に固定する場合も、切り欠き部４９から外力が作用したら、変形する状態で固定することで、上述と同様に簡単に着脱可能にしつつ、カバー部を筐体に対して保持することができる。
【００６９】
なお、上述した本発明の実施形態に係る携帯電子機器は、上述した実施形態に限定されず、特許請求の範囲に記載された範囲で種々の変更が可能である。
【００７０】
以上の説明では、バッテリを覆うカバー部３０を筐体に固定し、保持する機構として連結部材を含む保持構造を用いたがこれに限定されない。上述した保持構造は、筐体に対して装着する種々のカバー部の保持構造として用いることができる。また、上述したようにより強固に保持することが求められる防水機能を備える携帯電子機器のカバー部（自身が水密を実現するための機構の一部となっているカバー部）の保持構造として用いることが好ましいが、防水機能を備えない携帯電子機器のカバー部として用いてもよい。
【００７１】
以上の説明では、筐体は、閉じ合わせ可能な２つの筐体、すなわち、第１筐体及び第２筐体を含んで構成されるものとして説明したが、３つ以上を含んで構成されてもよいし、１つで構成されてもよい。
【００７２】
以上で説明した携帯電子機器１の筐体は、折り畳み式の構造に限定されるものではない。例えば、携帯電子機器１の筐体は、両方の筐体を閉じ合わせた状態、言い換えれば、重ね合わせた状態から一方の筐体（第１筐体）と他方の筐体（第２筐体）とを互いにスライドできるようにしたスライド式の筐体であってもよいし、重ね合わせ方向に沿う軸線を中心に、一方の筐体を回転させるようにした回転式や、２軸ヒンジを介して両方の筐体を連結したものでもよい。 
【産業上の利用可能性】
【００７３】
以上のように、本発明に係る携帯電子機器は、筐体に着脱可能なカバー部を備える種々の携帯電子機器に適用して好適である。
【符号の説明】
【００７４】
１  携帯電子機器
２  筐体
４  ヒンジ部
５  表示装置
６  操作部
２１  第１筐体
２２  第２筐体
２１Ａ、２２Ａ  フロントケース
２１Ｂ、２２Ｂ  リアケース
３０  カバー部
３１  バッテリ装着部
３２  バッテリ
３４、８０  連結部材
４０  凹部
４２、４４  ボス（支点）
４６、４８  筐体爪部
４９  切り欠き部
５２、５４  支点支持部
５６、５８、８２  外側爪部（第２爪部）
６０  開口
６２  中央爪部（第１爪部）
６３  特定部
７２、７４  突起部
７６  カバー爪部
７８、７９  挿入部
【図１】
0005778910.tif 000002
【図２】
0005778910.tif 000003
【図３】
0005778910.tif 000004
【図４】
0005778910.tif 000005
【図５】
0005778910.tif 000006
【図６】
0005778910.tif 000007
【図７】
0005778910.tif 000008
【図８】
0005778910.tif 000009
【図９】
0005778910.tif 000010
【図１０】
0005778910.tif 000011
【図１１】
0005778910.tif 000012
【図１２】
0005778910.tif 000013
【図１３】
0005778910.tif 000014
【図１４】
0005778910.tif 000015
【図１５】
0005778910.tif 000016
【図１６】
0005778910.tif 000017
【図１７】
0005778910.tif 000018
【図１８】
0005778910.tif 000019
【図１９】
0005778910.tif 000020
【図２０】
0005778910.tif 000021